(57)【要約】【課題】  吸気と排気とを任意に切替えて使用可能で、吸気時にシリンダ内に吸気対象中の液体を吸引することのない吸排気ポンプの提供。【解決手段】  シリンダ２とその中を長さ方向に往復動するピストン３とを主要構成要素とし、シリンダ２の先端側にはピストン３により規定される内室２ｃを備える。またシリンダ２の内室２ｃの先端側端部には吸気弁２ａを備えた開口部２１を配設し、内室２ｃの先端側側壁には排気弁２ｂを備えた開口部２２を配設する。なお両開口部２１、２２は、いずれもシリンダ２外に開口し、かつその外端側は小径の連結管に構成する。更に吸気弁２ａを備えた開口部２１の連結管に接続して用いる吸気用の管及びその間に挿入した容器４と、排気弁２ｂを備えた開口部２２の連結管に接続して用いる排気用の管７とを備える。吸気用の管は、容器４の外側の支分管６と内側の支分管５とで構成する。【選択図】  図１
2006226203.tif 000002
【特許請求の範囲】
【請求項１】
吸気と排気とに任意に切替可能で両用可能な吸排気ポンプであって、
摺動自在に挿入されたピストンにより規定される内室を有し、該内室の先端部に、各々外気に連通し、一方には吸気弁を、他方には排気弁を備えた１対の開口部を構成したシリンダと、
前記シリンダの前記先端部方向に摺動する際も、手元方向に摺動する際も、その周側部を前記シリンダの内室の周側壁に密着させるように構成したピストンと、
前記吸気弁を備えた開口部と吸気対象とを接続する吸気用の管と、
前記排気弁を備えた開口部と排気対象とを接続する排気用の管と、
で構成した吸排気ポンプ。
【請求項２】
前記吸気用の管の途中に、吸気中に含まれることのある液体を該吸気から分離して滞留させる容器を挿入した請求項１の吸排気ポンプ。
【請求項３】
前記吸気用の管の途中への容器の挿入を、該吸気用の管を二つの支分管で構成し、かつその各支分管の該当する端部を該容器に各々その上部から下向きに挿入して結合することで実現する請求項２の吸排気ポンプ。
【請求項４】
前記ピストンを、ピストンロッドの先端に配したディスク状部材と、該ディスク状部材の両面に該ディスク部材を挟持する状態に固設したパッキン部材であって、各々の周側部を該ディスク状部材と反対側に延長したパッキン部材とで構成した請求項１、２又は３の吸排気ポンプ。
【請求項５】
前記吸気用の管として、その外端に複数種の吸気対象の接続口と対応する接続部材を備えた複数種の管を用意し、前記吸気弁を備えた開口部に取り替え自在に結合し得るように構成した請求項１の吸排気ポンプ。
【請求項６】
前記排気用の管として、その外端に複数種の排気対象の接続口と対応する接続部材を備えた複数種の管を用意し、前記排気弁を備えた開口部に取り替え自在に結合し得るように構成した請求項１の吸排気ポンプ。
【発明の詳細な説明】
【技術分野】
【０００１】
本発明は、吸気動作と排気動作とを任意に切替可能で両用が可能な吸排気ポンプに関し、しかも構造も簡単な手軽で使い勝手の良い吸排気ポンプに関するものである。
【背景技術】
【０００２】
真空パックは生鮮食料品等の保存手段として有効であるが、これを実行するためには真空ポンプが必要で、手軽に家庭で実施できる状況ではない。現在、ポンプ自体は成熟製品であるが、家庭で使用されることは少なく、自転車の空気入れ用のポンプが普及している程度である。こうした事情から、吸気動作と排気動作との両用が可能で手軽な吸排気ポンプが望まれ、以下のようなものが提案されている。
【０００３】
特許文献１の吸排気ポンプは、シリンダと、該シリンダに進退自在に挿入されたピストンと、該シリンダの壁に、該ピストンによって該シリンダ内に規定されるシリンダ内室を外気に連通すべく開口した二つの孔と、その一方の孔に流通許容方向を正逆可変にすべく接続した一方向弁とで構成したものである。なお他方の孔は、操作者の指先によって開閉可能に構成されている。
【０００４】
この吸排気ポンプは、構成中に配する弁を１個とし、吸排気動作の切換のための機構を不要として、構造及び操作を簡単にすることによりコスト低減を図るものである。
【０００５】
また、特許文献２の吸排気ポンプは、吸排気のための気体を収容する気体収容室と、気体収容室内の気体を膨張・圧縮する膨張・圧縮部材と、気体収容室と外部を連通路にて連通するとともにその連通路に気体の流れを制御する弁を配設した２本のノズルと、を具備してなり、該２本のノズルを、これらに配した弁の切換操作により、吸気動作又は排気動作に切り換え可能に構成することにより、該２本のノズルのいずれの側をも吸気用に又は排気用に使用できるように構成したものである。
【０００６】
前記特許文献１の吸排気ポンプは、構造が簡単で低コストを実現し得るものではあるが、操作者の指先を弁の代わりに使用するものであり、大量の気体の吸排気のためには適さない。僅かの気体の吸排気に用いる実験室的な利用に限定されるものと思われる。また、特許文献２の吸排気ポンプは、装置がやや複雑で、家庭で手軽に用いるには難点がないとは言えない。更に、特許文献１及び特許文献２の吸排気ポンプは、例えば、生鮮食料品等の真空パックを行う際に、そのパック中の排気を行おうとすると、該生鮮食料品等に混入していることのある種々の液体をシリンダ内に吸引してポンプを汚したり損傷する懸念もある。
【０００７】
【特許文献１】特開平０８―１５９０２７号公報
【特許文献２】特開平０７―１４５７８３号公報
【発明の開示】
【発明が解決しようとする課題】
【０００８】
本発明は、以上に述べた従来技術の問題点を解決し、構造が簡単で、手軽で使い勝手が良く、真空パックを実施する際の吸引にも支障のない吸排気ポンプを提供することを解決の課題とするものである。
【課題を解決するための手段】
【０００９】
本発明の１は、吸気と排気とに任意に切替可能で両用可能な吸排気ポンプであって、
摺動自在に挿入されたピストンにより規定される内室を有し、該内室の先端部に、各々外気に連通し、一方には吸気弁を、他方には排気弁を備えた１対の開口部を構成したシリンダと、
前記シリンダの前記先端部方向に摺動する際も、手元方向に摺動する際も、その周側部を前記シリンダの内室の周側壁に密着させるように構成したピストンと、
前記吸気弁を備えた開口部と吸気対象とを接続する吸気用の管と、
前記排気弁を備えた開口部と排気対象とを接続する排気用の管と、
で構成した吸排気ポンプである。
【００１０】
本発明の２は、本発明の１の吸排気ポンプに於いて、前記吸気用の管の途中に、吸気中に含まれることのある液体を該吸気から分離して滞留させる容器を挿入したものである。
【００１１】
本発明の３は、本発明の２の吸排気ポンプに於いて、前記吸気用の管の途中への容器の挿入を、該吸気用の管を二つの支分管で構成し、かつその各支分管の該当する端部を該容器に各々その上部から下向きに挿入して結合することで実現したものである。
【００１２】
本発明の４は、本発明の１、２又は３の吸排気ポンプに於いて、前記ピストンを、ピストンロッドの先端に配したディスク状部材と、該ディスク状部材の両面に該ディスク部材を挟持する状態に固設したパッキン部材であって、各々の周側部を該ディスク状部材と反対側に延長したパッキン部材とで構成したものである。
【００１３】
本発明の５は、本発明の１の吸排気ポンプに於いて、前記吸気用の管として、その外端に複数種の吸気対象の接続口と対応する接続部材を備えた複数種の管を用意し、前記吸気弁を備えた開口部に取り替え自在に結合し得るように構成したものである。
【００１４】
本発明の６は、本発明の１の吸排気ポンプに於いて、前記排気用の管として、その外端に複数種の排気対象の接続口と対応する接続部材を備えた複数種の管を用意し、前記排気弁を備えた開口部に取り替え自在に結合し得るように構成したものである。
【発明の効果】
【００１５】
本発明の１の吸排気ポンプによれば、構造の簡単で、手軽で使い勝手が良く、吸気対象に対する吸引脱気動作や排気対象に対する排気供給動作を確実に行うことができる。
【００１６】
本発明の２の吸排気ポンプによれば、シリンダへの液体の吸引に伴う故障等のおそれなく、野菜や魚介類等の真空包装を行うための吸引を家庭等でも手軽に行うことができる。
【００１７】
本発明の３の吸排気ポンプによれば、吸気対象から液体を吸引する虞のある場合であっても、より確実にその液体を除去し、シリンダへの進入を回避することができる。
【００１８】
本発明の４の吸排気ポンプによれば、シリンダ中に於けるピストンの進退往復動作のいずれに於いても該ピストンの周側部とシリンダ内壁との密着性が高く保持できるため、効率の良い吸排気動作を行うことができる。
【００１９】
本発明の５の吸排気ポンプによれば、接続口の形状構造の異なる複数種の吸気対象に対して接続して良好に吸引脱気動作を行うことができる。
【００２０】
本発明の６の吸排気ポンプによれば、接続口の形状構造の異なる複数種の排気対象に対して接続して良好に排気供給動作を行うことができる。
【発明を実施するための最良の形態】
【００２１】
本発明による吸排気ポンプは、ピストンとシリンダとを主な構成要素とし、該シリンダ中に該ピストンにより内室を規定し、該シリンダの内室の先端部に、各々外気に連通し、一方には吸気弁を、他方には排気弁を備えた１対の開口部を構成したものである。また吸気用の管及び排気用の管を用意し、該吸気用の管は、前記１対の開口部の内、吸気弁を備えたそれに着脱自在に接続し得るように構成し、該排気用の管は排気弁を備えたそれに着脱自在に接続し得るように構成したものである。
【００２２】
前記シリンダ及び前記ピストンは、サイズや材質等は、特に限定しないが、自転車の空気入れとしての使用や家屋内での種々の物品への吸排気のための使用等を考慮し、通常の自転車用空気ポンプ程度のサイズ、或いはこれを基準としてそれより一回り大きいサイズから一回り小さいサイズ等の範囲で設定するのが適当である。なお、前記ピストンは、通常の自転車用空気ポンプとは異なり、方式は問わないが、常時、即ち、往復動作のいずれの方向への動作時にも、その周側がシリンダの内壁に密着して外気に対し気密性を保持し得る構造としておく。
【００２３】
例えば、そのピストンの構造としては、ピストンロッドの先端に配したディスク状部材と、該ディスク状部材の両面に該ディスク部材を挟持する状態に固設した二つのパッキン部材とで構成し、該二つのパッキン部材は特に各々の周側部を該ディスク状部材と反対側に環状に延長した構成とするのが適当である。このように構成することにより、前記趣旨を良好に達成することが可能となる。
【００２４】
前記１対の開口部は、前記シリンダ中を前記ピストンが最先端に達して容積が最小となった状態に於ける内室の壁面、即ち、該シリンダの先端部の、前記状態の内室に面する周側壁又は先端面に開口する。また該１対の開口部の内、吸気弁を備えたそれは吸気用の管の内端を、排気弁を備えたそれは排気用の管の内端を、それぞれ接続可能なように、外端側に適当な連結構造を採用する。例えば、その連結構造として、前記シリンダの該当する部位から突出する短い連結管を採用することができる。
【００２５】
前記吸気弁及び前記排気弁は、その構造等を限定する理由はなく、文字通りの機能を有するそれを自由に採用することができる。云うまでもなく、これらは前記各開口部内の任意の個所に配設することができる。
【００２６】
前記吸気用の管及び排気用の管は、気密性を保持できるものであれば特に限定せず、そのような機能を有する種々の管材を自由に採用することができる。例えば、フレキシブルなビニール管等を採用することができる。
【００２７】
前記吸気用の管は、その外端に複数種の吸気対象の接続口と対応する接続部材を備えた複数種のそれを用意しておき、前記吸気弁を備えた開口部に取り替え自在に結合し得るように構成するのが好ましい。また同様に、前記排気用の管も、その外端に複数種の排気対象の接続口と対応する接続部材を備えた複数種の管を用意しておき、前記排気弁を備えた開口部に取り替え自在に結合し得るように構成するのが好ましい。
【００２８】
なお前記吸気用の管には、更に、その管の途中に、吸気中に含まれることのある液体を該吸気から分離して滞留させる容器を挿入するのが適当である。
【００２９】
該吸気用の管の途中に挿入する容器はその形状やサイズをその目的に適合する範囲で自由に構成することができる。即ち、該容器は、該吸気用の管の内、吸気対象の包装等に連通する側（入側）と前記吸気弁を備えた開口部に連通する側（出側）とを、該容器を経由することにより分断することができるものであれば良い。
【００３０】
前記吸気用の管は二つの支分管で構成し、かつその各支分管の該当する端部を該容器に各々その上部から下向きに挿入して結合することとするのが適当である。これらの二つの支分管の各該当する端部は、該容器内で、相互に対向しないように向きを設定し、該容器内に滞留することのある液体がこれらの支分管の中に流入することがないようにする。
【００３１】
もっともこれらの支分管の該容器への接続は、底部から離れた部位で行い、相互が対向しないようにすれば、以上のそれに限定されない。
【００３２】
前記容器としては、その使用中に転倒することがないように、底面の広いそれを採用するなどの配慮をしておく。なお、前記吸気用の両側の支分管を該容器内に連通する際は、云うまでもなく、外気に対し気密性を維持しつつ連結する。また、該容器は、その内部に滞留することのある液体を適宜廃棄することができるものとする。もっとも該液体を廃棄するための構成は、その趣旨を実現できる限り自由であり、単に該容器を着脱自在な蓋体を有する構成とするのでも、容器を上部と下部とに着脱自在に分割しうる構成とするのでも良い。更に、該容器は、その内部の液体の滞留の有無を確認できるように、特にその下部を透明の材質で構成するのが好ましい。
【００３３】
以上に説明した本発明の吸排気ポンプは、容易に、自転車のタイヤチューブや球技用のボール等の排気対象に空気を排気圧入し、種々の真空包装等の吸気対象から空気を吸引脱気することができる。またその双方を同時に行うこともできる。
【００３４】
まず生鮮食料品の真空パック等の真空包装用の包装からの脱気について説明する。
この場合は、初めに前記吸気弁を備えた開口部に、吸気対象の接続口に対応する接続部材を備えた吸気用の管の内端側を接続する。この吸気用の管としては、その間に、前記容器を挿入した二つの支分管からなるものを用いるのが、前記のように、適当である。該容器内での両支分管の該当する端部は、前記したように、相互に対向しないように向きを設定する等の処理が施してある。この吸気用の管の内の容器より外側の支分管の外端は、該外端に構成した接続部材を前記真空パック等の真空包装用の包装内にその接続口を通じて挿入することにより接続連通する。
【００３５】
二つの支分管の内、該容器より外側の支分管の外端に構成する接続部材は、前記したように、種々の構成のそれを用意しておくべきものであるが、上記真空パック等の真空包装用の包装の脱気を行う場合は、その接続口との関係で、注射針状に構成した物が適当である。そしてその接続時には、該注射針状の接続部材の外周が前記真空包装用の包装の接続口の内周と密着して気密性を保持できるようにする。
【００３６】
この注射針状の接続部材と接続する該包装の接続口にはパッキン等を配して該接続部材を締め付けるように構成してあることが望ましいが、そうでない場合は、該包装の接続口の外周付近を輪ゴム等で締め付けることとすれば概ね満足する結果を得ることができる。
【００３７】
こうして準備が完了した後は、吸排気ポンプのピストンを往復動させて吸引する。包装の容量等に応じて、必要な吸気が完了するまで、該ピストンの往復動作を繰返す。なお、該ピストンをシリンダの手元側に後退させると、前記排気弁が閉じる一方で前記吸気弁が開いて前記包装からの空気が吸引され、該ピストンをシリンダの先端側に進出させると、該吸気弁が閉じる一方で、該排気弁が開いて、吸引した空気をシリンダ外に排気することとなる。従って、前記のように、ピストンの往復動作を必要なだけ繰り返せば、前記包装中の必要な吸引脱気を行うことができる。
【００３８】
なおまた、吸気中に含まれ得る生鮮食料品等から流出した液体は、吸引途中で、該吸気から分離され、前記容器中に滞留させられることになるため、シリンダ内に吸引されることはない。そのため、シリンダに故障が生じるような問題はない。
【００３９】
包装中からの空気の吸引が完了した後は、前記容器より外側の支分管の注射針状の接続部材を包装の接続口から引き抜けば、吸気作業は完了である。該接続口は当然弾力性によって閉じるように構成されていなければならない。
【００４０】
以上の吸気作業で前記容器中に液体が滞留した場合は、蓋体を開ける等により、該容器を開口し、その液体を廃棄することができる。
【００４１】
次に空気の排気圧入を、球技用のボールへの排気圧入を例にとって説明する。
この場合は、排気用の管として、ボールの空気注入用の接続口に対応する接続部材を備えたそれを選択し、その内端を、前記シリンダの前記排気弁を備えた開口部に接続し、他方、前記接続部材を対象物であるボールの接続口に接続する。なおこの場合も接続部材は注射針状の細管が適当である。
【００４２】
こうして接続した後は、ピストンを往復動させて排気し、その空気を該ボール中に給気する。前記したように、前記ピストンのシリンダ先端側への進出時にその内室内の空気が圧縮されて排気され、これが排気弁を備えた開口部を介し、これに接続した排気用の管を介して前記ボールに排気供給されることになる。このとき、前記吸気弁は閉じ、内室内の空気は開いている排気弁を通じて前記排気用の管側にのみ供給される。ピストンの後退時には、排気弁は閉じてボール内の空気の逆流が阻止され、他方、吸気弁が開いて大気に開口する吸気用の開口部を通じて内室内に空気が導入されることになる。
【００４３】
こうしてピストンの往復動作を繰り返して、十分にボールに空気が充填された後、排気用の管の注射針状の接続部材をボールの空気注入用の接続口から抜けば、空気の排気供給作業は終了である。
【００４４】
以上に於いては、各々吸気対象に対する吸気動作又は排気対象に対する排気動作を個別に行っているが、云うまでもなく、両者を同時に行うことも可能である。
【００４５】
以上のように、本発明の吸排気ポンプによれば、簡単な構造でありながら、容易に、自転車のタイヤチューブや球技用のボール等の排気対象に空気を排気圧入し、種々の真空包装等の吸気対象から空気を吸引脱気し、またその双方を同時に行うこともできる。更に前記吸引脱気の際に、吸気対象から流出することのある液体をシリンダに引き込んで支障を生じさせる虞もないものであり、手軽で広い用途に用いることができる。
【実施例】
【００４６】
この実施例の吸排気ポンプ１は、図１に示すように、シリンダ２とその中を長さ方向に往復動するピストン３とを主な構成要素とし、該シリンダ２の先端側には該ピストン３により規定される内室２ｃを備えたものである。また該シリンダ２の内室２ｃの先端側端部には吸気弁２ａを備えた開口部２１を配設し、該内室２ｃの先端側側壁には排気弁２ｂを備えた開口部２２を配設したものである。なお両開口部２１、２２は、いずれもシリンダ２外に開口するものであり、かつ、同図に示すように、そのシリンダ２外に開口する外端側は小径の連結管に構成したものである。
【００４７】
この実施例の吸排気ポンプ１は、更に、図１に示すように、前記吸気弁２ａを備えた開口部２１の連結管に接続して用いる吸気用の管及びその間に挿入した容器４と、図２に示すように、前記排気弁２ｂを備えた開口部２２の連結管に接続して用いる排気用の管７とを備えたものである。なお前記吸気用の管は、図１に示すように、前記容器４の外側の支分管６と内側の支分管５とで構成する。
【００４８】
前記シリンダ２は、自転車の空気入れ等としても使用するが、家屋内での比較的小型の吸排気対象物品に対する吸排気手段としての使用を考慮し、通常の自転車用空気ポンプよりも短いそれを採用した。また前記ピストン３は、図１及び図２に示すように、後端にハンドル３５を備えた長尺のロッド３３の先端に構成したものである。ディスク状部材３１を該ロッド３３の先端に固定し、そのディスク状部材３１をその両面からパッキン３２、３２で挟持し、更に該両パッキン３２、３２の両側で該ロッド３３の雄ねじ部に螺合したナット３４、３４により、該両パッキン３２、３２による挟持状態を固い締め付状態に固定したものである。
【００４９】
該両パッキン３２、３２は、各々、図１及び図２に示すように、前記ディスク状部材３１に接しない側の面の中央部を凹状に構成したものである。言い換えると、いずれのパッキン３２、３２もその周側部が該ディスク状部材３１に接する側と反対側に延びた環状部を備えた構成であるため、前記シリンダ２中のピストン３の往復動作の際に、少なくとも、いずれかの側のパッキン３２の周側部が該シリンダ２の内壁に密着することになり、これによって規定される内室２ｃの気密性を保持することができる。
【００５０】
前記排気弁２ｂを備えた開口部２２は、前記シリンダ２中を前記ピストン３が最先端まで進出して最小となった内室２ｃ中に開口し得る位置関係で該シリンダ２の周側壁に構成する。前記吸気弁２ａを備えた開口部２１は、該シリンダ２の先端部に構成したものであるから、当然、上記のように、最小となった内室２ｃ中に開口する。
【００５１】
また両開口部２１、２２は、既に述べ、かつ図１及び図２に示すように、シリンダ２外に突出する部位を、前記吸気用の支分管５又は排気用の管７が容易に接続可能であるように、小径の連結管に構成してある。また前記吸気弁２ａとしては、シリンダ２の内室２ｃ側が該吸気弁２ａを挟んでその反対側より低圧になった場合にのみ開く逆止弁を採用し、前記排気弁２ｂとしては、シリンダ２の内室２ｃ側が該排気弁２ｂを挟んで反対側より高圧になった場合にのみ開く逆止弁を採用したものである。
【００５２】
前記吸気用の管を構成する支分管５、６及び排気用の管７は、この実施例では、その内側を外気に対して気密に保持できるビニール管を採用した。その径は、前記開口部２１、２２の連結管との結合が確実にできるそれとした。また長さ寸法は、排気用の管７は８０ｃｍ程度に、吸気用の支分管５、６はそれぞれ４０ｃｍ程度の物を採用した。
【００５３】
前記吸気用の支分管６、５の間に挿入する容器４は、図１に示すように、透明のプラスチックで成型した容器本体４１と、該容器本体４１の下部に底面を広くするために配した台座４３と、該容器本体４１の上部開口部を開閉自在に閉じる上蓋４２とで構成したものである。
【００５４】
前記吸気用の支分管５、６は、図１に示すように、それぞれ該当する端部を前記容器４の上蓋４２に下向き状態に取り付ける。該上蓋４２に二つの連結開口４ａ、４ｂが開口してあり、シリンダ２の開口部２１の連結管に内端を結合する支分管５の外端を該連結開口４ａに、他方の支分管６の内端を連結開口４ｂに結合する。連結開口４ａ、４ｂはいずれも下向きで相互に平行に構成されている。該支分管５、６と上蓋４２との結合は接着剤により固定する。前記支分管６の外端には、注射針状の接続部材である挿入管６ａが配してある。
【００５５】
前記支分管６の外端の接続部材は、この他に該挿入管６ａより大径の結合管を配した物等数種類を用意しておく。支分管５の内端はいずれも同一構成である。
【００５６】
前記排気用の管７は、その内端は、前記したように、シリンダ２の開口部２２の連結管に単に結合しうる必要があるだけであり、それ自体の径がそのように構成してある。外端には、図２に示すように、注射針状の接続部材である挿入管７ａが配してある。この他に接続部材の構成の異なる物を複数種用意しておく。例えば、自転車のチューブに空気を入れるための構成などである。
【００５７】
従ってこの実施例の吸排気ポンプ１によれば、自転車のタイヤチューブや球技用のボール等の排気対象に空気を排気圧入し、種々の真空包装等の吸気対象から空気を吸引脱気することができる。またその双方を同時に行うこともできる。更にこの実施例の吸排気ポンプ１によれば、後者の吸引脱気を行う際にも、吸引対象から流出することのある種々の液体をシリンダ２内に吸引してその故障等の問題を発生させる虞もない。
【００５８】
まず生鮮食料品等の真空パックを行う場合について説明する。
この場合は、まず前記吸気弁２ａを備えた側の開口部２１の連結管に、吸気用の管を構成する支分管５の内端を嵌合接続する。該支分管５の外端は、既述のように、前記容器４の上蓋４２の一方の連結開口４ａに結合させてあり、該上蓋４２の他方の連結開口４ｂにも、既述のように、別の支分管６の内端が結合させてある。この支分管６の外端の注射針状の挿入管６ａを吸引対象となる生鮮食料品等のパックＰの脱気口（接続口）Ｑに挿入接続する。このとき脱気口Ｑは前記注射針状の挿入管６ａの外周と密着して気密性を保持するようにする。具体的には、その周囲に図示しない輪ゴムを巻いてそのようにする。
【００５９】
こうして準備が完了した後、前記ハンドル３５を操作して吸排気ポンプ１のピストン３を往復動作させ、図１に示すように、パックＰ内の空気を矢印ａ方向に吸引する。このピストン３の矢印ｕで示す後退動作により、内室２ｃが拡大して圧力が低下すると、吸気弁２ａが開き、前記パックＰ内の空気が支分管６、容器４、支分管５及び開口部２１を通じて該内室２ｃ中に吸引される。このとき、前記開口部２２の排気弁２ｂは閉じて上記動作を阻害しないようになっている。またこうして内室２ｃに吸入された空気は、前記ハンドル３５の操作でピストン３がシリンダ２の先端側に進出すると、内部の圧力が上昇して前記排気弁２ｂが開き、これを配した開口部２２から大気中に排気されることになる。このとき、前記吸気弁２ａが閉じてパックＰ側への空気の逆流は阻止される。
【００６０】
このようなピストン３の往復動作を必要なだけ繰り返すことにより、前記パックＰ中の空気を必要なだけ抜いた後、前記支分管６の挿入管６ａを該パックＰの脱気口Ｑから引き抜けばこの吸引脱気作業は終了である。なお脱気口Ｑは挿入管６ａを抜くと弾力で閉じるようになっている。
【００６１】
なお前記支分管５、６の該当端部は、前記容器４内で共に下向に結合されているため、両支分管５、６の間の直接の吸気の流れは分断され、生鮮食料品等のパックＰから流出することのある液体は下部の容器本体４１内に滴下分離されて滞留する。従って以上の吸引脱気作業中に吸気とともに吸引された液体は、シリンダ２にまで吸引されることはない。それ故、この吸排気ポンプ１の故障等を引き起こす虞はない。
【００６２】
また、前記したように、該容器４中に滞留した液体は、その容器本体４１が透明な材質で構成されているため、その量を容易に目視観察することができ、その滞留量が相当量に達した場合は、該容器４の容器本体４１から前記上蓋４２を分離させ、適宜それを廃棄することができる。
【００６３】
更にまた前記容器４は、その容器本体４１の下部に台座４３が取り付けられ、底面が広く構成されているため、前記吸気作業中に転倒するような虞はない。
【００６４】
次に、図２に示すように、球技用のボールＢへの排気圧入の例を説明する。
この場合は、排気用の管７として、ボールＢの空気注入用の注入口（接続口）Ｒに対応する注射針状の挿入管（接続部材）７ａを備えたそれを選択し、その内端を、前記シリンダ２の前記排気弁２ｂを備えた開口部２２の連結管に接続し、他方、前記挿入管７ａを対象物であるボールＢの注入口Ｒに接続する。
【００６５】
このように排気用の管７を通じてボールＢと吸排気ポンプ１とを接続した後は、前記ハンドル３５を利用して前記ピストン３を往復動させ、シリンダ２の内室２ｃから排気し、図２中、矢印ｂに示すように、その空気を該ボールＢ中に給気する。前記したように、前記ピストン３のシリンダ２先端側への進出（図２中、矢印ｄ）時に、その内室２ｃ内の空気が圧縮されて排気され、これが排気弁２ｂを備えた開口部を介し、これに接続した排気用の管を介して前記ボールに排気供給されることになる。
【００６６】
このとき、内室２ｃ内の圧力の上昇に伴って、前記吸気弁２ａは閉じ、内室２ｃ内の空気は開いている排気弁２ｂを通じて前記排気用の管７側にのみ供給される。ピストン３の後退時には、内室２ｃないの圧力の低下に伴って排気弁２ｂは閉じてボールＢ内の空気の逆流が阻止され、他方、吸気弁２ａが開いて大気に開口する吸気用の開口部２１を通じて内室２ｃ内に空気が導入されることになる。
【００６７】
こうしてピストン３の往復動作を繰り返して、十分にボールＢに空気が充填された後、排気用の管７の注射針状の挿入管７ａをボールＢの注入口Ｒから引き抜けば、空気の排気供給作業は終了である。
【００６８】
以上に於いては、各々吸気対象に対する吸気動作又は排気対象に対する排気動作を個別に行った例についてのみ説明しているが、云うまでもなく、両者を同時に行うことも可能である。
【００６９】
以上のように、この実施例の吸排気ポンプ１によれば、簡単な構造でありながら、容易に、自転車のタイヤチューブや球技用のボール等の排気対象に空気を排気圧入し、種々の真空包装等の吸気対象から空気を吸引脱気し、またその双方を同時に行うこともできる。更に前記吸引脱気の際に、吸気対象から流出することのある液体をシリンダ２内に引き込んで支障を生じさせる虞もない。
【図面の簡単な説明】
【００７０】
【図１】実施例の吸排気ポンプの吸気用としての使用状態を説明する概略断面図。
【図２】実施例の吸排気ポンプの排気用としての使用状態を説明する概略断面図。
【符号の説明】
【００７１】
１    吸排気ポンプ
２    シリンダ
２ａ  吸気弁
２ｂ  排気弁
２ｃ  内室
２１  吸気弁を備えた開口部
２２  排気弁を備えた開口部
３    ピストン
３１  ディスク状部材
３２  パッキン
３３  ロッド
３４  ナット
３５  ハンドル
４    容器
４１  容器本体
４２  上蓋
４３  台座
４ａ、４ｂ  連結開口
５    内側の支分管
６    外側の支分管
６ａ  吸気用の外側の支分管の挿入管
７ａ  排気用の管の挿入管
７    排気用の管
ａ    吸気方向を示す矢印
ｂ    排気（給気）方向を示す矢印
Ｂ    ボール
ｄ    ピストンの進出方向を示す矢印
ｕ    ピストンの後退方向を示す矢印
Ｐ    パック
Ｑ    脱気口
Ｒ    注入口
【図１】
2006226203.tif 000003
【図２】
2006226203.tif 000004